(57)【要約】【課題】本発明は、スリープモード時におけるユーザの使い勝手を一段と向上させるようにする。【解決手段】本発明は、スリープタイマ設定時における蛍光表示管４の輝度レベルを予め決定し、スリープタイマを設定し、そのスリープタイマを設定した時点から予め決定された輝度レベルに蛍光表示管４を自動調整することにより、スリープタイマに連動させて蛍光表示管４の輝度レベルを自動調整することができるので、スリープモード時におけるユーザの使い勝手を一段と向上することができる。【選択図】図１
2008020823.tif 000002
【特許請求の範囲】
【請求項１】
音声出力手段と、
表示手段と、
スリープタイマを設定するスリープタイマ設定手段と、
上記スリープタイマを設定した時点から予め決定された輝度レベルに上記表示手段を自動調整するスリープモード時輝度レベル自動調整手段と
を具えることを特徴とする輝度レベル自動調整装置。
【請求項２】
上記スリープモード時輝度レベル自動調整手段は、上記スリープタイマを設定した時点から上記輝度レベルに合わせて自動的に上記表示手段を消灯表示する
ことを特徴とする請求項１に記載の輝度レベル自動調整装置。
【請求項３】
上記スリープタイマを設定した時点以降、ユーザの入力操作に応じて上記スリープモード時輝度レベル自動調整手段による上記輝度レベルの自動調整機能を一時的に解除する一時解除手段と
を具えることを特徴とする請求項１に記載の輝度レベル自動調整装置。
【請求項４】
上記一時解除手段は、上記輝度レベルの自動調整機能を一時的に解除した後、上記輝度レベルとは異なる予め決定された輝度レベルで上記表示手段を自動調整する
ことを特徴とする請求項３に記載の輝度レベル自動調整装置。
【請求項５】
上記一時解除手段は、ユーザの設定操作に応じて有効にするか無効にするかを切り換え可能である
ことを特徴とする請求項３に記載の輝度レベル自動調整装置。
【請求項６】
上記一時解除手段は、上記表示手段を必要とするユーザの操作が行われた場合にのみ機能する
ことを特徴とする請求項３に記載の輝度レベル自動調整装置。
【請求項７】
スリープタイマ設定時における表示手段の輝度レベルを予め決定するスリープモード時輝度レベル決定ステップと、
上記スリープタイマを設定するスリープタイマ設定ステップと、
上記スリープタイマを設定した時点から上記スリープモード時輝度レベル決定ステップで予め決定された輝度レベルに上記表示手段を自動調整する輝度レベル自動調整ステップと
を具えることを特徴とする輝度レベル自動調整方法。
【請求項８】
電子機器に対して、
スリープタイマ設定時における表示手段の輝度レベルを予め決定するスリープモード時輝度レベル決定ステップと、
上記スリープタイマを設定するスリープタイマ設定ステップと、
上記スリープタイマを設定した時点から上記スリープモード時輝度レベル決定ステップで予め決定された輝度レベルに上記表示手段を自動調整する輝度レベル自動調整ステップと
を実行させることを特徴とする輝度レベル自動調整プログラム。
【発明の詳細な説明】
【技術分野】
【０００１】
本発明は、輝度レベル自動調整装置、輝度レベル自動調整方法及び輝度レベル自動調整プログラムに関し、例えばオーディオ装置のスリープタイマ機能と連動させた表示部の輝度レベルを自動調整する場合に適用して好適なものである。
【背景技術】
【０００２】
従来、オーディオ機器において、液晶ディスプレイの光量が同じでも就寝時のような使用環境では、昼間以上に眩しく感じることがあるので、スリープ動作状態になると、ボリュームの調整動作に連動させて液晶ディスプレイのバックライトの光量についても調整するようになされたものがある（例えば、特許文献１参照）。
【特許文献１】実開平6-4740号公報
【発明の開示】
【発明が解決しようとする課題】
【０００３】
ところでかかる構成のオーディオ装置においては、あくまで音量のボリューム調整動作に液晶ディスプレイの光量を連動させているだけなので、音量が大きいときには液晶ディスプレイも光量も多いので、ユーザにとっては眩しく感じさせることがあり、また音量が小さいときには液晶ディスプレイの光量も少ないが、その液晶ディスプレイの画面を介してユーザが種々の操作を実行しようとするときには暗過ぎるという問題があった。
【０００４】
本発明は以上の点を考慮してなされたもので、スリープモード時におけるユーザの使い勝手を一段と向上させ得る輝度レベル自動調整装置、輝度レベル自動調整方法及び輝度レベル自動調整プログラムを提案しようとするものである。
【課題を解決するための手段】
【０００５】
かかる課題を解決するため本発明においては、音声出力手段と、表示手段と、スリープタイマを設定するスリープタイマ設定手段と、スリープタイマを設定した時点から予め決定された輝度レベルに表示手段を自動調整するスリープモード時輝度レベル自動調整手段とを設けることにより、スリープタイマに連動させて表示手段の輝度レベルを自動調整することができる。
【０００６】
また本発明においては、スリープタイマ設定時における表示手段の輝度レベルを予め決定し、スリープタイマを設定し、そのスリープタイマを設定した時点から予め決定された輝度レベルに表示手段を自動調整することにより、スリープタイマに連動させて表示手段の輝度レベルを自動調整することができる。
【発明の効果】
【０００７】
本発明によれば、スリープタイマに連動させて表示手段の輝度レベルを自動調整することができるので、スリープモード時におけるユーザの使い勝手を一段と向上させ得る輝度レベル自動調整装置、輝度レベル自動調整方法及び輝度レベル自動調整プログラムを実現することができる。
【発明を実施するための最良の形態】
【０００８】
以下、図面について、本発明の一実施の形態を詳述する。
【０００９】
（１）オーディオ装置の構成
図１において、１は全体として本発明における一実施の形態のオーディオ装置を示し、ＣＰＵ(Central Processing Unit)構成でなる制御用マイクロコンピュータ２が全体を統括制御しており、ＣＤ(Compact Disc)ドライブ６によって再生されたＣＤ再生信号や、チューナ７によって受信されたラジオ番組等の音声信号を音声出力用アンプ３へ送出する。
【００１０】
音声出力用アンプ３は、ＣＤドライブ６から供給されたＣＤ再生信号又はチューナ７から供給された音声信号を所定レベルに増幅し、音声出力端子９を介してスピーカ１０からＣＤ再生音声又はラジオ番組音声として出力する。
【００１１】
このときオーディオ装置１の制御用マイクロコンピュータ２は、ユーザにより入力ボタン５を介してボリューム調整操作が行われると、音声出力用アンプ３を介してそのボリューム調整操作に応じた音声レベルに調整することにより、ＣＤ再生音声又はラジオ番組音声の音量を変更してスピーカ１０から出力する。
【００１２】
同時にオーディオ装置１の制御用マイクロコンピュータ２は、ＣＤ再生中であれば、現在のソースが「ＣＤ」であること、トラック番号及び再生経過時間等を蛍光表示管４に表示し、ラジオ番組受信中であれば、放送局名、チャンネル周波数等を蛍光表示管４に表示する。因みにオーディオ装置１では、蛍光表示管４ではなく、液晶ディスプレイや有機ＥＬ(Electroluminescence)ディスプレイを用いることも可能である。
【００１３】
なおオーディオ装置１の制御用マイクロコンピュータ２は、蛍光表示管４の輝度レベルを入力ボタン５によるユーザの設定操作に応じて調整可能な輝度レベル調整機能を有し、例えば輝度レベル「０」（消灯状態）〜輝度レベル「１０」（通常の最も明るい状態）まで１０段階にユーザの好みに合わせて設定し得るようになされている。
【００１４】
さらにオーディオ装置１の制御用マイクロコンピュータ２は、内蔵されたタイマ部８から供給されるクロック信号に基づいてスリープタイマ機能が設定されたときの経過時間をカウントするようになされており、スリープタイマ機能を使用するときの設定時間として例えば６０分が設定された場合、その時点から１時間経過後に電源オフ状態に切り換えるようになされている。
【００１５】
本発明のオーディオ装置１においては、このようなスリープタイマ機能と、上述した輝度レベル調整機能とを連動させることが可能であり、その場合の輝度レベル自動調整機能付きスリープモード設定処理手順と、その設定が終わった後のスリープモードと連動した輝度レベル自動調整処理手順とについて、具体的に説明する。
【００１６】
（２）輝度レベル自動調整機能付きスリープモード設定処理手順
図２に示すようにオーディオ装置１の制御用マイクロコンピュータ２は、ルーチンＲＴ１の開始ステップから入って次のステップＳＰ１へ移り、輝度レベル自動調整機能をスリープモードに連動させるか否かを判定する。
【００１７】
ここで否定結果が得られると、このことは輝度レベル自動調整機能をスリープモードに連動させるためのボタン操作がユーザによって行われていないことを表しており、このとき制御用マイクロコンピュータ２は次のステップＳＰ２へ移る。
【００１８】
ステップＳＰ２において制御用マイクロコンピュータ２は、輝度レベル自動調整機能をスリープモードに連動させることのないオフ状態に設定したまま、次のステップＳＰ９へ移って輝度レベル自動調整機能付きスリープモード設定処理手順を終了する。
【００１９】
これに対してステップＳＰ１で肯定結果が得られると、このことは輝度レベル自動調整機能をスリープモードに連動させるためのボタン操作がユーザによって行われたことを表しており、このとき制御用マイクロコンピュータ２は次のステップＳＰ３へ移る。
【００２０】
次のステップＳＰ３において制御用マイクロコンピュータ２は、輝度レベル自動調整機能をスリープモードに連動させるべくオン状態に設定し、次のステップＳＰ４においてスリープモード時の輝度値をユーザのボタン操作に応じて決定した後、次のステップＳＰ５へ移る。
【００２１】
この場合、制御用マイクロコンピュータ２は、ユーザのボタン操作に応じてスリープモード時に設定されたときの輝度値を輝度レベル「０」（消灯状態）〜輝度レベル「１０」（通常の最も明るい状態）までの１０段階のうち、例えば輝度レベル「０」に決定する。
【００２２】
但し、制御用マイクロコンピュータ２は、スリープモード時であっても、蛍光表示管４の輝度レベル「０」ではなく、それ以外の任意の輝度レベルに決定することが可能であり、ユーザの好みに応じて例えば輝度レベル「３」や、輝度レベル「５」等に決定することも可能である。
【００２３】
ステップＳＰ５において制御用マイクロコンピュータ２は、スリープモード時の輝度レベル自動調整機能を一時的に解除する一時解除機能をオン状態に設定するか否かを判定する。ここで否定結果が得られると、このことはステップＳＰ４で決定したスリープモード時の輝度レベルを一時解除する意思がユーザにないことを表しており、このとき制御用マイクロコンピュータ２は次のステップＳＰ６へ移る。
【００２４】
ステップＳＰ６において制御用マイクロコンピュータ２は、一時解除機能をオフに設定し、次のステップＳＰ９へ移って処理を終了する。この場合、制御用マイクロコンピュータ２は、スリープモードが設定されると、スリープモード時の輝度値で蛍光表示管４を表示し、スリープモード中に入力ボタン５がユーザによって操作されたときであっても、そのスリープモード時の輝度値のまま蛍光表示管４を表示し続けるようになされている。
【００２５】
これに対してステップＳＰ５で肯定結果が得られると、制御用マイクロコンピュータ２は次のステップＳＰ７へ移り、一時解除機能をオンに設定し、次のステップＳＰ８へ移る。
【００２６】
ここで一時解除機能とは、例えば、蛍光表示管４をユーザが目視確認しなければ操作し難いような例えば、ＣＤの選択、ＣＤのトラック変更、或いはソースの切り換え（例えばＣＤからラジオ）等に関する入力ボタン５が操作されたときに、スリープモード時の輝度値で蛍光表示管４を表示するスリープモード時の輝度レベル自動調整機能を一時的に解除する機能をいい、例えば音量アップダウンボタンのように蛍光表示管４を目視確認しなくてもユーザがその変化を知覚できる操作によっては一時解除機能を働かせることはないように設定されている。
【００２７】
すなわち制御用マイクロコンピュータ２は、蛍光表示管４を介して行う必要あるユーザの操作が行われたことを認識したときには、スリープモード時の輝度レベルがどうなっているかに拘わらず、それを一旦解除して蛍光表示管４の輝度レベルを一時解除時の輝度レベルに変更するようになされている。
【００２８】
ステップＳＰ８において制御用マイクロコンピュータ２は、一時解除時の輝度値及び一時解除時の継続時間（以下、これを一時解除時間と呼ぶ）をユーザの入力ボタン５に対する操作に応じて決定し、次のステップＳＰ９へ移って処理を終了する。
【００２９】
具体的に制御用マイクロコンピュータ２は、例えば、一時解除時の輝度値を輝度レベル「５」に決定することにより、輝度レベル「１０」（消灯状態）ほど明るくなく、かつ輝度レベル「０」ほど暗過ぎないユーザにとって適度な明るさに設定することができる。
【００３０】
但し、制御用マイクロコンピュータ２は、ユーザの好みに合わせて一時解除時の輝度値を輝度レベル「５」以外の任意の輝度レベルに決定することも可能であり、例えば輝度レベル「３」、輝度レベル「８」等のその他種々の輝度レベルに決定することができる。
【００３１】
この場合、制御用マイクロコンピュータ２は、スリープモードが設定されると、スリープモード時の輝度値（この場合、輝度レベル「０」）で蛍光表示管４を表示し、スリープモード中に入力ボタン５がユーザによって操作されたときには、一時解除機能によってスリープモード時の輝度値から一時解除時の輝度値に一時解除時間の間だけ変更して蛍光表示管４を表示し得るようになされている。
【００３２】
（３）スリープモードと連動した輝度レベル自動調整処理手順
図３に示すようにオーディオ装置１の制御用マイクロコンピュータ２は、ルーチンＲＴ２の開始ステップから入って次のステップＳＰ１１へ移り、ＣＤドライブ６による通常のＣＤ再生処理を実行すると共に、図４（Ａ）及び図５（Ａ）に示すように、ソースを示す「ＣＤ」の文字、トラック番号を示す「１０」の数字、及び再生経過時間を示す「０．２４」の数字を蛍光表示管４に輝度レベル「１０」で表示し、次のステップＳＰ１２へ移る。
【００３３】
ステップＳＰ１２において制御用マイクロコンピュータ２は、ユーザの入力ボタン５に対するボタン操作により、輝度レベル自動調整機能付きスリープモードが設定されたか否かを判定する。
【００３４】
ここで否定結果が得られると、このことは輝度レベル自動調整機能付きスリープモードを設定する意思がユーザにないことを表しており、このとき制御用マイクロコンピュータ２は次のステップＳＰ１３へ移る。
【００３５】
ステップＳＰ１３において制御用マイクロコンピュータ２は、輝度レベル自動調整機能付きスリープモードを設定することなく、通常のスリープモードを設定し、スリープタイマとは無関係に通常の輝度値（輝度レベル「１０」）のまま蛍光表示管４を表示し続け、次のステップＳＰ２１へ移って処理を終了する。
【００３６】
具体的に制御用マイクロコンピュータ２は、図４（Ａ）に示したように、ソースを示す「ＣＤ」の文字、トラック番号を示す「１０」の数字、及び再生経過時間を示す「０．２４」の数字を蛍光表示管４に輝度レベル「１０」で表示中に、ユーザの入力ボタン５に対する操作により、通常のスリープタイマを設定されるときには、図４（Ｂ）に示すように、スリープモード時であることを示す「ＳＬＥＥＰ」の文字と、設定すべきスリープタイマ時間を示す「９０ｍｉｎ？」の文字とを蛍光表示管４に輝度レベル「１０」で表示する。
【００３７】
そして制御用マイクロコンピュータ２は、通常のスリープタイマの設定が終了すると、再度ＣＤ再生中の表示に戻し、図４（Ｃ）に示すように、ソースを示す「ＣＤ」の文字、トラック番号を示す「１０」の数字、及び再生経過時間を示す「０．３６」の数字を蛍光表示管４に輝度レベル「１０」で表示する。
【００３８】
この場合、制御用マイクロコンピュータ２は、蛍光表示管４の輝度レベル「１０」を終始一貫して変更することがなく、スリープタイマの設定時間（この場合９０分間）が経過した時点でＣＤ再生処理を停止し、電源をオフ状態に切り換えて終了する。
【００３９】
これに対してステップＳＰ１２で肯定結果が得られると、このことは輝度レベル自動調整機能付きスリープモードを設定する操作がユーザによって行われたことを表しており、このとき制御用マイクロコンピュータ２は、図５（Ｂ）に示すように、スリープタイマの設定時間（この場合９０分間）を決定することにより輝度レベル自動調整機能付きスリープモードを設定した後、次のステップＳＰ１４へ移る。
【００４０】
ステップＳＰ１４において制御用マイクロコンピュータ２は、ルーチンＲＴ１のステップＳＰ４（図２）で予め決定されたスリープモード時の輝度値である輝度レベル「０」（消灯状態）で蛍光表示管４を表示し、すなわち図５（Ｃ）に示すように蛍光表示管４を消灯状態にして次のステップＳＰ１５へ移る。
【００４１】
ステップＳＰ１５において制御用マイクロコンピュータ２は、スリープモード時の蛍光表示管４を消灯させた状態のとき、ユーザによって蛍光表示管４に表示しなければ操作内容をユーザに確認させることが出来ない何れかの入力ボタン５が操作されたか否かを判定し、否定結果が得られると、ステップＳＰ２０へ移るのに対し、肯定結果が得られると次のステップＳＰ１６へ移る。
【００４２】
ステップＳＰ１６において制御用マイクロコンピュータ２は、表示に関連した何れかの入力ボタン５が操作されたので、ユーザが蛍光表示管５を介して何らかの命令（セットアップメニュー設定に関連した命令）を与えようとしていると判断し、一時解除機能がオン状態に設定されているか否かを判定する。
【００４３】
ここで否定結果が得られると、このことはルーチンＲＴ１のステップＳＰ６（図２）で一時解除機能がオフに設定されていることを表しており、このとき制御用マイクロコンピュータ２はステップＳＰ２０へ移る。
【００４４】
これに対してステップＳＰ１６で肯定結果が得られると、制御用マイクロコンピュータ２は次のステップＳＰ１７へ移り、図５（Ｄ）に示すようにルーチンＲＴ１のステップＳＰ８（図２）で決定した一時解除時の輝度値（この場合、輝度レベル「５」）で蛍光表示管４に「ＳＥＴＵＰ ＭＥＮＵ」の文字を表示し、次のステップＳＰ１８へ移る。
【００４５】
ステップＳＰ１８において制御用マイクロコンピュータ２は、ルーチンＲＴ１のステップＳＰ８（図２）で決定した一時解除時間が経過したか否かを判定し、否定結果が得られるとステップＳＰ１７へ戻って一時解除時の輝度値（輝度レベル「５」）で蛍光表示管４を表示し続け、ステップＳＰ１８で一時解除時間が経過するまで待ち受けるのに対し、肯定結果が得られると次のステップＳＰ１９へ移る。
【００４６】
ステップＳＰ１９において制御用マイクロコンピュータ２は、一時解除時間が経過したので、一時解除時の輝度値（輝度レベル「５」）ではなく、図５（Ｅ）に示すようにスリープモード時の輝度値（輝度レベル「０」）で蛍光表示管４を表示し直し、次のステップＳＰ２０へ移る。
【００４７】
ステップＳＰ２０において制御用マイクロコンピュータ２は、スリープモードとして予め設定されたスリープタイマの設定時間（９０分間）が経過したか否かを判定し、否定結果が得られるとステップＳＰ１４へ戻ってスリープモード時の輝度値（輝度レベル「０」）で蛍光表示管４を表示し続け、それ以降の処理を同様に繰り返すのに対し、否定結果が得られると次のステップＳＰ２１へ移って処理を終了する。
【００４８】
（４）動作及び効果
以上の構成において、オーディオ装置１の制御用マイクロコンピュータ２は、スリープモード時の輝度値を輝度レベル「０」に設定し、一時解除時の輝度値を輝度レベル「５」に設定した場合、ユーザによって輝度レベル自動調整機能付きスリープモードが設定されたとき、蛍光表示管４を消灯状態にすると共に、スリープタイマの設定時間（９０分間）が経過した時点で電源を落とすことになるので、蛍光表示管４による眩しさからユーザを一切開放させることができる。
【００４９】
また、このときオーディオ装置１の制御用マイクロコンピュータ２は、輝度レベル自動調整機能付きスリープモード中に、ユーザがＣＤ再生中のトラックを変更したいときや、ソースをＣＤからラジオに変更したいときのような蛍光表示管４の表示に関する入力ボタン５が操作された場合、一時解除機能が予めオンに設定されていれば、それをトリガとしてスリープモード時の輝度値（輝度レベル「０」）から一時解除時の輝度値（輝度レベル「５」）に自動調整することにより、蛍光表示管４を目視確認しなければならないときに、ユーザに特別な意識を持たせたり、特別な手順を実行させることなく、ユーザが必要なタイミングでのみ蛍光表示管４を所定輝度レベル（輝度レベル「５」）で点灯して容易に操作させることができる。
【００５０】
またオーディオ装置１の制御用マイクロコンピュータ２は、例えば、スリープモード時の輝度値を輝度レベル「３」に設定し、一時解除機能がオフに設定されていた場合、ユーザによって輝度レベル自動調整機能付きスリープモードが設定されたとき、蛍光表示管４の輝度値を輝度レベル「３」に落として表示することにより、従来のスリープタイマ設定時における蛍光表示管４の眩しさからユーザを開放させることができる。
【００５１】
このときオーディオ装置１の制御用マイクロコンピュータ２は、スリープモード時に、ユーザがＣＤ再生中のトラックを変更したり、ソースをＣＤからラジオに変更したい場合等の蛍光表示管４の表示内容を頼りにユーザが操作しようとしたとき、一時解除機能がオフ状態に設定されているものの、スリープモード時の輝度レベル「３」で蛍光表示管４を終始表示しているので、蛍光表示管４を目視確認しなければならないときに、ユーザに特別な意識を持たせたり、特別な手順を実行させることなく、ユーザに対して容易に操作させることができる。
【００５２】
以上の構成によれば、オーディオ装置１の制御用マイクロコンピュータ２は、輝度レベル自動調整機能付きスリープモードを設定した場合、蛍光表示管４の輝度レベルをユーザの好みに合わせた明るさで表示すると共に、当該輝度レベル自動調整機能付きスリープモードを必要に応じて一時的に解除させることができるので、ユーザの使い勝手に優れたインタフェースを提供することができる。
【００５３】
（５）他の実施の形態
なお上述の実施の形態においては、オーディオ装置１の入力ボタン５が操作されたときに一時解除機能を働かせるようにした場合について述べたが、本発明はこれに限らず、例えばリモートコントローラ（図示せず）のボタンが操作されたときにも一時解除機能を働かせるようにしても良い。
【００５４】
また上述の実施の形態においては、輝度レベル自動調整機能付きスリープモードが設定されたときに蛍光表示管４の輝度レベルを自動的に調整するようにした場合について述べたが、本発明はこれに限らず、輝度レベル自動調整機能付きスリープモードが設定されたときに蛍光表示管４だけではなくリモートコントローラ（図示せず）の蛍光表示管等の表示部の輝度レベルを自動的に調整するようにしても良い。
【００５５】
さらに上述の実施の形態においては、スリープモード時の輝度値や一時解除時の輝度値として、輝度レベル「０」〜輝度レベル「１０」の１０段階のなかから任意に決定させるようにした場合について述べたが、本発明はこれに限らず、５段階、２０段階等の種々の輝度レベルの範囲の中で任意に決定させるようにしても良い。
【００５６】
さらに上述の実施の形態においては、蛍光表示管４の表示に関係した入力ボタン５が操作されたときに時解除時間が経過するまで一時解除時の輝度レベルで蛍光表示管４を表示するようにした場合について述べたが、本発明はこれに限らず、ＣＤ再生中のトラック変更の場合には、一時解除時間を１０秒間に設定し、ＣＤの変更やソースの変更の場合には、一時解除時間を２０秒間に設定する等、蛍光表示管４を用いた操作内容に応じて適応的に一時解除時間を変更するようにしても良い。
【００５７】
この場合、オーディオ装置１の制御用マイクロコントローラ２は、ユーザの操作が終了する前に、一時解除時の輝度レベルからスリープモードの輝度レベルに戻してしまうことを回避して、ユーザに対して一時解除時の操作を確実に遂行させることができる。
【００５８】
さらに上述の実施の形態においては、音声出力手段としての音声出力用アンプ３、音声出力端子９及びスピーカ１０、表示手段としての蛍光表示管４、スリープタイマ設定手段としての制御用マイクロコンピュータ２及びタイマ部８、輝度レベル自動調整手段としての制御用マイクロコンピュータ２によって本発明の輝度レベル自動調整装置としてのオーディオ装置１を構成するようにした場合について述べたが、本発明はこれに限らず、その他種々の構成でなる音声出力手段、表示手段、スリープタイマ設定手段及び輝度レベル自動調整手段によって構成するようにしても良い。
【産業上の利用可能性】
【００５９】
本発明の輝度レベル自動調整装置、輝度レベル自動調整方法及び輝度レベル自動調整プログラムは、例えばオーディオ装置以外のテレビ、ラジオ、携帯電話機、カーナビゲーションシステム、ゲーム機等のその他種々の電子機器に適用することができる。
【図面の簡単な説明】
【００６０】
【図１】本発明におけるオーディオ装置の構成を示す略線的ブロック図である。
【図２】輝度レベル自動調整機能付きスリープモード設定処理手順を示すフローチャートである。
【図３】スリープモードと連動した輝度レベル自動調整処理手順を示すフローチャートである。
【図４】輝度レベル自動調整機能付きスリープモードが設定されていないときの表示例を示す略線図である。
【図５】輝度レベル自動調整機能付きスリープモードが設定されているときの表示例を示す略線図である。
【符号の説明】
【００６１】
１……オーディオ装置、２……制御用マイクロコンピュータ、３……音声出力用アンプ、４……蛍光表示管、５……入力ボタン、６……ＣＤドライブ、７……チューナ、８……タイマ部、９……音声出力端子、１０……スピーカ。
【図１】
2008020823.tif 000003
【図２】
2008020823.tif 000004
【図３】
2008020823.tif 000005
【図４】
2008020823.tif 000006
【図５】
2008020823.tif 000007